(57)【要約】  【課題】本発明は、所定の利用者の選曲の際に特定の楽曲を表示させる時刻対応選曲楽曲表示機能を備えるカラオケシステムに関し、１日のうちの時間帯に関連した利用者の望む楽曲を表示可能とし、選曲の効率化、選曲時の利便性の向上を図ることを目的とする。  【解決手段】利用者データベースには利用者毎に１日のうちの歌唱タイミングの時刻帯別に所定の楽曲が関連付けられて作成されたタイムデータ楽曲テーブル７５が備えられ、利用者ＩＤ取得部６８が取得した利用者ＩＤに基づいてタイムデータ楽曲テーブル７５を取得し、選曲表示処理手段７２が当該利用者の登録タイムデータ楽曲テーブル７５に基づいてタイムデータ楽曲表示要求時の時刻が、当該時刻帯（時刻区分）に含まれるタイムデータ楽曲を抽出して選曲可能に表示する構成とする。  【選択図】  図４
2009210662.tif 000002
【特許請求の範囲】
【請求項１】
所定の利用者の選曲の際に特定の楽曲を表示させる時刻対応選曲楽曲表示機能を備えるカラオケシステムであって、
利用者データベース、利用者ＩＤ取得部、タイムデータ楽曲取得手段、選曲表示処理手段を有するものであり、
前記利用者データベースは、少なくとも、タイムデータ楽曲登録手段により、利用者毎に、１日のうちの歌唱タイミングの時刻帯別に所定の楽曲が関連付けられて作成されたタイムデータ楽曲テーブルを備え、
前記利用者ＩＤ取得部は、利用者より利用者ＩＤを取得し、
前記タイムデータ楽曲取得手段は、取得した利用者ＩＤに基づいて、前記利用者データベースに登録されているタイムデータ楽曲テーブルを取得し、
前記選曲表示処理手段は、前記取得した当該利用者のタイムデータ楽曲テーブルに基づいて、少なくともタイムデータ楽曲表示要求時の時刻が、前記時刻帯に含まれるタイムデータ楽曲を抽出して選曲可能に表示させる、
ことを特徴とする時刻対応選曲楽曲表示機能を備えるカラオケシステム。
【請求項２】
請求項１記載の時刻対応選曲楽曲表示機能を備えるカラオケシステムであって、
前記利用者データベースには、利用者毎に、歌唱時刻帯別に歌唱した楽曲とその楽曲を歌唱した回数を計数した歌唱度数とが関連付けられて歌唱履歴楽曲として登録され、
前記タイムデータ楽曲登録手段は、利用者毎の前記歌唱履歴楽曲のうち、任意の楽曲につき、歌唱時刻帯が割り当てられた歌唱度数が所定基準値を超えた時刻帯を、当該楽曲に関連付けてタイムデータ楽曲として前記タイムデータ楽曲テーブルに登録することを特徴とする時刻対応選曲楽曲表示機能を備えるカラオケシステム。
【発明の詳細な説明】
【技術分野】
【０００１】
本発明は、所定の利用者の選曲の際に特定の楽曲を表示させる時刻対応選曲楽曲表示機能を備えるカラオケシステムに関する。
【背景技術】
【０００２】
近年、カラオケシステムを利用してカラオケ歌唱を楽しむことが一般的となってきており、思い入れ楽曲を持っている利用者も多く、思い入れ楽曲には、１日のうちの時刻帯や時刻区分に関連したものもある。そのため、時刻帯や時刻区分に関連した楽曲を利用者の選曲の際に表示させて利便性を向上させることが望ましい。
【０００３】
従来、所定の利用者の思い入れの楽曲を表示する技術として、以下の特許文献で提案されているものがある。当該特許文献は、所定の利用者が個人別曲目リストを保存しておき、当該利用者の入力に応じて当該個人別曲目リストを表示するもので、個人別曲目リストには、楽曲を個人別に分類するための分類カテゴリ欄を設定して当該分類カテゴリに基づいて当該個人別曲目リストを検索し、抽出された曲目集合を表示するというものである。
【０００４】
【特許文献１】特開２００４−１２６１４５号公報
【発明の開示】
【発明が解決しようとする課題】
【０００５】
しかしながら、上記特許文献は、個人別に思い入れ楽曲を分類カテゴリで分類しておくことから当該分類カテゴリを利用者が選択して入力しなければならず、表示や選曲に際して必ずしも効率的ではない。
【０００６】
そこで、本発明は上記課題に鑑みなされたもので、１日のうちの時刻帯に関連した利用者の望む楽曲を表示可能とし、選曲の効率化、選曲時の利便性の向上を図る時刻対応選曲楽曲表示機能を備えるカラオケシステムを提供することを目的とする。
【課題を解決するための手段】
【０００７】
上記課題を解決するために、請求項１の発明では、所定の利用者の選曲の際に特定の楽曲を表示させる時刻対応選曲楽曲表示機能を備えるカラオケシステムであって、利用者データベース、利用者ＩＤ取得部、タイムデータ楽曲取得手段、選曲表示処理手段を有するものであり、前記利用者データベースは、少なくとも、タイムデータ楽曲登録手段により、利用者毎に、１日のうちの歌唱タイミングの時刻帯別に所定の楽曲が関連付けられて作成されたタイムデータ楽曲テーブルを備え、前記利用者ＩＤ取得部は、利用者より利用者ＩＤを取得し、前記タイムデータ楽曲取得手段は、取得した利用者ＩＤに基づいて、前記利用者データベースに登録されているタイムデータ楽曲テーブルを取得し、前記選曲表示処理手段は、前記取得した当該利用者のタイムデータ楽曲テーブルに基づいて、少なくともタイムデータ楽曲表示要求時の時刻が、前記時刻帯に含まれるタイムデータ楽曲を抽出して選曲可能に表示させる、構成とする。
【０００８】
請求項２の発明では、前記利用者データベースには、利用者毎に、歌唱時刻帯別に歌唱した楽曲とその楽曲を歌唱した回数を計数した歌唱度数とが関連付けられて歌唱履歴楽曲として登録され、前記タイムデータ楽曲登録手段は、利用者毎の前記歌唱履歴楽曲のうち、任意の楽曲につき、歌唱時刻帯が割り当てられた歌唱度数が所定基準値を超えた時刻帯を、当該楽曲に関連付けてタイムデータ楽曲として前記タイムデータ楽曲テーブルに登録する構成である。
【発明の効果】
【０００９】
本発明によれば、利用者データベースには利用者毎に１日のうちの歌唱タイミングの時刻帯別に所定の楽曲が関連付けられて作成されたタイムデータ楽曲テーブルが備えられ、取得した利用者ＩＤに基づいてタイムデータ楽曲テーブルを取得し、当該利用者のタイムデータ楽曲テーブルに基づいてタイムデータ楽曲表示要求時の時刻が、当該時刻帯に含まれるタイムデータ楽曲を抽出して選曲可能に表示する構成とすることにより、１日のうちの時刻帯に関連した利用者の望む楽曲を表示可能とし、選曲の効率化、選曲時の利便性の向上を図ることができるものである。
【発明を実施するための最良の形態】
【００１０】
以下、本発明の最良の実施形態を図により説明する。
図１に本発明に係るカラオケシステムの系統構成図を示すと共に、図２に図１の利用者ＤＢの登録楽曲の説明図を示す。図１（Ａ）は通信ネットワークを使用して本システムを構成させた場合のネットワーク模式図、図１（Ｂ）はホスト装置の概要ブロック構成図である。
【００１１】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１２】
ホスト装置１１は、図１（Ｂ）に示すように、少なくとも送受信手段２１、制御手段２２及び利用者データベース（ＤＢ）２３を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１３】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報が要求されたときに、利用者ＤＢ２３より当該利用者ＩＤに関連付けられた基本的な情報等を当該カラオケ演奏端末１３に送出する。
【００１４】
ここで、上記利用者ＤＢ２３は、図２（Ａ）に示すように、利用者毎に所定の情報が登録されたデータベースであり、例えば氏名、住所、ニックネーム、登録者の顔写真等のイメージファイル名などの利用者基本情報の他に、パーソナル曲目が登録される。パーソナル楽曲ファイルは、図２(Ｂ)に示すように、利用者毎に例えば歌唱履歴曲目、タイムデータ楽曲テーブルである。
【００１５】
上記歌唱履歴曲目は、利用者毎に、歌唱時刻帯別に歌唱した楽曲とその楽曲を歌唱した回数を計数した歌唱度数とが関連付けられて登録される。ここで、時刻帯は１日の時間を例えば何時から何時までのように予め定めた時間の範囲であり、時刻区分としての例えば午前（０時〜１２時）、午後（１２時〜２４時）を含む。タイムデータ楽曲テーブルは、利用者毎に、１日のうちの歌唱タイミングの時刻帯（歌唱時刻区分）別に所定の楽曲（楽曲ＩＤが関連付けられて、例えばフラグ特定として作成されたテーブルである。当該タイムデータ楽曲テーブルは、後述のタイムデータ楽曲登録手段６９（図４）により利用者が独自に登録する場合と、後述のタイムデータ楽曲自動登録手段２４（図９）が自動で登録する場合とがある。
【００１６】
ここで、図３に、本発明のカラオケシステムにおけるカラオケ演奏端末のブロック構成図を示す。図３において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。当該遠隔入出力端末３６は、図４で説明する。
【００１７】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００１８】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８、演奏ログ処理手段４９及び送受信部５０Ａ，５０Ｂを適宜備える。また、ＲＡＭ４４には、予約待ち行列５１の領域が形成される。なお、上記各構成について、本発明の要旨と直接関連しない要素部分であっても、従前のカラオケ装置においても大部分が適用可能であることを示すために、装置全体を説明する。
【００１９】
上記中央制御部４２は、このシステムを統括的に処理制御する物理的なＣＰＵであり、ＲＯＭ４３に記憶されているプログラムに基づくアルゴリズム処理を行う。また、当該中央制御部４２は時計機構４２Ａを備える。この時計機構４２Ａは、後述の演奏ログ処理手段４９による演奏ログ（利用者ＩＤ、楽曲ＩＤ）に関連付けられる時刻要素として、当該楽曲の歌唱時の時刻（時刻帯）として参照される。
【００２０】
上記ＲＡＭ４４は、後述する予約待ち行列５１の記憶領域が形成される他に、上記種々のプログラムを展開、実行させるための作業領域としての役割をなすもので、例えば半導体メモリで構成され、仮想的にハードディスク上に構築される場合をも含む概念である。
【００２１】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００２２】
上記再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の演奏データに同期させて表示部３２に出力する電子回路である。上記音楽曲出力部４８は、楽曲コードで楽曲ＤＢ４５より抽出された演奏データをデジタル再生し、アナログ変換してミキシングアンプ３３に出力する電子回路である。
【００２３】
上記演奏ログ処理手段４９は、１日のうちの歌唱タイミングの時刻帯別に、当該利用者が上記中央制御部４２の時計機構４２Ａで特定される当該歌唱した時刻に対応した時刻帯で歌唱した楽曲（楽曲ＩＤ）とその楽曲を歌唱した回数を計数した歌唱度数とを関連付けて適宜更新した歌唱履歴楽曲をホスト装置１１に送信して利用者ＤＢ２３における対応利用者の歌唱履歴曲目を更新登録させるプログラムである。
【００２４】
上記送受信部５０Ａは、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５０Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。また、後述の遠隔入出力端末３６は、送受信部５０Ａ，５０Ｂを介してホスト装置１１とデータ授受が可能とされる。
【００２５】
なお、ＲＡＭ４４に形成される予約待ち行列５１は、後述の遠隔入出力端末３６で選曲された楽曲ＩＤが送受信部５０Ａを介して送信されてきたときに、中央制御部４２が当該送信されてきた楽曲ＩＤを予約順に記憶させていくデータ記憶領域である。ここでは、遠隔入出力端末３６から、歌唱者の利用者ＩＤと共に選曲楽曲（楽曲ＩＤ）が予約待ち行列５１に順次記憶される。
【００２６】
また、図示しないが、当該カラオケ演奏装置３１には、利用者が楽曲番号を直接入力したり、演奏楽曲のテンポや、歌唱音声に対する種々の調節を行うためのボタンやツマミ類が可変抵抗器等の電子素子に直結された操作パネルも接続される。ところで、カラオケ演奏端末１３をスタンドアローンのカラオケシステムとして適用させる場合には上記ホスト装置１１のタイムデータ楽曲自動登録手段２４及び利用者ＤＢ２３を備えさせる構成とすることにより実現することができるものである。
【００２７】
続いて、図４に、図３におけるカラオケ演奏端末の遠隔入出力端末のブロック構成図を示す。図４において、遠隔入出力端末３６は、バス６１、端末制御部６２、ＲＯＭ６３、ＲＡＭ６４、入出力制御部６５、端末表示部６６、楽曲検索手段６７、利用者ＩＤ取得部６８、タイムデータ楽曲登録手段６９、タイムデータ楽曲取得手段７１を備える利用者情報取得手段７０、選曲表示処理手段７２及び端末送受信部７３を適宜備える。また、ＲＡＭ６４には、所定の利用者ＩＤに関連付けられたタイムデータ楽曲テーブル７５の記憶エリアを備える利用者別情報記憶部７４の記憶領域が形成される。当該利用者別情報記憶部７４には、タイムデータ楽曲テーブル７５の記憶領域が形成される（後述する）。
【００２８】
上記端末制御部６２は、当該遠隔入出力端末３６を統括的に処理制御する物理的なＣＰＵであり、ＲＯＭ６３に記憶されているプログラムに基づくアルゴリズム処理を行う。当該端末制御部６２は、時計機構６２Ａを備え、利用者のタイムデータ楽曲の表示要求に対して、当該表示要求時のタイムデータ楽曲を特定するための時刻帯を特定させるためのものである。
【００２９】
上記ＲＡＭ６４は、利用者別情報記憶部７４（上記タイムデータ楽曲テーブル７５）の記憶領域が形成される他に、上記種々のプログラムを展開、実行させるための作業領域としての役割をなすもので、例えば半導体メモリで構成され、仮想的にハードディスク上に構築される場合をも含む概念である。
【００３０】
上記端末表示部６６は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するもので、上記入出力制御部６５は、当該端末表示部６６に表示データを出力して楽曲検索画面等を表示させると共に、当該ＧＵＩによるデータ入力を行う電子回路及びプログラムである。また、上記楽曲検索手段６７は、上記ユーザインタフェース機能により利用者に楽曲を検索させるプログラムである。
【００３１】
上記利用者ＩＤ取得部６８は、利用者のログイン要求で所持するＩＣカード等が提示された時に、当該ＩＣカード等から利用者ＩＤを取得する電子回路及びプログラムである。なお、利用者ＩＤ取得部６８を、カラオケ演奏装置３１に備えさせてもよい。
【００３２】
上記タイムデータ楽曲登録手段６９は、利用者が、上記利用者ＩＤ取得部６８で取得された利用者ＩＤに基づき、所定の楽曲につき１日のうちの歌唱タイミングの時刻帯（時刻区分）を関連付けてタイムデータ楽曲として利用者ＤＢ２３のタイムデータ楽曲テーブルに登録させるためのプログラムであると共に（図５で説明する）、表示要求に応じて登録されているタイムデータ楽曲テーブル（ここでは、取得されてＲＡＭ６４の利用者別情報記憶部７５のタイムデータ楽曲テーブル７５）の内容を端末表示部６６に表示させるためのプログラムである（図６で説明する）。
【００３３】
上記利用者情報取得手段７０（タイムデータ楽曲取得手段７１）は、上記利用者ＩＤ取得部６８で取得した利用者ＩＤに基づき後述の端末送受信部７３よりカラオケ演奏装置３１の送受信部５０Ａ，５０Ｂ、通信ネットワーク１２を介してホスト装置１１の利用者ＤＢ２３より利用者情報を取得し、当該利用者ＩＤに関連付けてＲＡＭ６４の利用者別情報記憶部７４に記憶させるプログラムである。
【００３４】
上記利用者情報は、例えば図２（Ａ）で示すニックネーム、イメージ（顔写真等）などの利用者基本情報の他に、図２（Ｂ）で示す歌唱履歴曲目や、当該利用者ＩＤに関連付けられて登録されているタイムデータ楽曲テーブルである。ホスト装置１１の利用者ＤＢ２３より取得した当該タイムデータ楽曲テーブルの情報は、ＲＡＭ６４の利用者別情報記憶部７４に設けられたタイムデータ楽曲テーブル７５の記憶エリアに記憶される。
【００３５】
上記選曲表示処理手段７２は、タイムデータ楽曲取得手段７１が取得してＲＡＭ６４における利用者別情報記憶部７４に記憶されたタイムデータ楽曲テーブル７５に基づいて、タイムデータ楽曲表示要求時の時刻が、時刻帯に含まれるタイムデータ楽曲を抽出して選曲可能に表示プログラムである。この表示は、後述の図８で示す選曲可能に表示させるものであるが、カラオケ演奏装置３１の表示部３２に、選曲番号（例えば楽曲ＩＤ）を付してテロップにより選曲可能に表示してもよい。なお、上述のタイムデータ楽曲登録手段６９によるタイムデータ楽曲の表示は、表示要求時の時刻に関わりなく、登録されている総てのタイムデータ楽曲のタイムデータ楽曲テーブル７５を表示させるためのものである。
【００３６】
そして、上記端末送受信部７３は、カラオケ演奏装置３１（送受信部５０Ａ）に対して有線方式ないし無線方式（ＩＲ方式やブルートゥース機構のピコネット接続方式など）を利用してデータ授受を行うためのもので、そのための電子回路及びプログラムを備えるものである。
【００３７】
ここで、図５に図４における遠隔入出力端末における利用者によるタイムデータ楽曲指定登録の説明図を示すと共に、図６に図４における遠隔入出力端末におけるタイムデータ楽曲テーブルの表示の説明図を示す。
【００３８】
図５において、利用者による設定登録は、遠隔入出力端末３６において、例えば、所定の利用者が利用者名（利用者ＩＤ）を明示して、図５（Ａ）に示すような「楽曲検索」、「タイムデータ楽曲の登録」、「現時刻の推薦曲の表示」などのメニュー表示より、「タイムデータ楽曲の登録」を選択すると、タイムデータ楽曲登録手段６９が実行されて図５（Ｂ）に示すようなタイムデータ楽曲登録画面が端末表示部６６にタブ形式で表示される。なお、タイムデータ楽曲リストを表示させる別のタブも表示される。
【００３９】
当該画面において、指定楽曲の順位（例えば「第１楽曲」）を選択させて曲名、楽曲ＩＤを、例えば楽曲検索手段６７と連動させて選択させる。続いて、例えば図２(Ｂ)に示すような予め設定した時刻帯を選択により指定させる。当該時刻帯には、上記のように午前、午後の時刻区分の時刻帯も含まれるが、これ以外の時刻帯を指定し、かつ、時刻区分を適宜指定させる。そして、上記各指定が完了し、「登録」が選択されることにより、利用者ＩＤにタイムデータ楽曲の時刻帯及び楽曲ＩＤが附帯されて、端末送受信部７３、カラオケ演奏装置３１の送受信部５０Ａ，５０Ｂ、通信ネットワーク１２を介してホスト装置１１に送信され、利用者ＤＢ２３のタイムデータ楽曲テーブル７５に登録されるものである。
【００４０】
また、他の「タイムデータ楽曲リスト」のタブが選択された場合には、当該画面において、図６に示すように、対応する利用者ＩＤのタイムデータ楽曲テーブル７５に登録されている総てのタイムデータ楽曲が、例えば登録の取消可能に表示するものである。
【００４１】
そこで、図７に図４におけるタイムデータ楽曲の表示処理のフローチャートを示すと共に、図８に図４におけるタイムデータ楽曲の表示の説明図を示す。図７（Ａ）において、所定の利用者のログインにより利用者ＩＤ取得手段６８が利用者ＩＤを取得し（ステップ（Ｓ１）、利用者情報取得手段７０（タイムデータ楽曲取得手段７１）が取得した利用者ＩＤに基づいて、端末送受信部７３、カラオケ装置３１（送受信部５０Ａ，５０Ｂ）、通信ネットワーク１２を介してホスト装置１１にアクセスし、利用者ＤＢ２３の対応する利用者ＩＤの利用者基本情報と共にパーソナル曲目ファイル（歌唱履歴曲目及びタイムデータ楽曲テーブル）を取得し、ＲＡＭ６４における利用者別情報記憶部７４に利用者基本情報及び歌唱履歴曲目を記憶する。また、タイムデータ楽曲テーブル７５として記憶する（Ｓ２）。
【００４２】
続いて、図７（Ｂ）において、例えば、所定の利用者が利用者名（利用者ＩＤ）を明示して、図５（Ａ）に示すような「楽曲検索」、「タイムデータ楽曲の登録」、「現時刻の推薦曲の表示」などのメニュー表示より「現時刻の推薦曲の表示」を選択することで登録楽曲情報の表示要求となる（Ｓ１１）。
【００４３】
そこで、選曲表示処理手段７２が、タイムデータ楽曲テーブル７５中に、端末制御部６２の時計機構６２Ａによる現時刻（利用者の表示要求時）に対応する歌唱時刻帯で登録されたタイムデータ楽曲が存在するか否かを判断する（Ｓ１２）。存在する場合には（Ｓ１３）、タイムデータ楽曲テーブル７５中の該当する楽曲ＩＤを抽出し、図８に示すように、例えば「現在時刻の推薦曲」として端末表示部６６に選曲可能に表示する（Ｓ１４）。これら処理は、ログインした利用者（利用者ＩＤ）毎に行われる。
【００４４】
そして、上記表示された曲名で何れかの楽曲が選曲されると（Ｓ１５）、当該楽曲ＩＤに適宜利用者ＩＤを附帯させてカラオケ演奏装置３１に送信することにより、予約待ち行列５１に登録されるものである（Ｓ１６）。なお、利用者ＩＤを附帯させずにカラオケ演奏装置３１に送信することとしてもよい。
【００４５】
なお、当該タイムデータ楽曲テーブル７５中の現在時刻に対応する歌唱時刻帯（時刻区分）に該当のタイムデータ楽曲が存在しない場合に（Ｓ１３）、現時刻の推薦曲は表示されないが、例えば図８の「現在時刻の推薦曲」の表示画面で、例えば「なし」の表示をすることとしてもよい。
【００４６】
ここで、図９に図１におけるホスト装置におけるタイムデータ楽曲の自動登録の説明図を示す。図９(Ａ)において、図１(Ｂ)に示すホスト装置１１にタイムデータ楽曲登録手段６９としてのタイムデータ楽曲自動登録手段２４を備えさせたものである。
【００４７】
上記タイムデータ楽曲自動登録手段２４は、利用者ＤＢ２３に登録された利用者毎の歌唱履歴楽曲のうち、任意の楽曲につき、歌唱時刻帯が割り当てられた歌唱度数が所定基準値を超えた時刻帯を、当該楽曲に関連付けてタイムデータ楽曲として利用者ＤＢ２３のタイムデータ楽曲テーブルに登録するプログラムである。
【００４８】
当該タイムデータ楽曲自動登録手段２４は、後述のカラオケ演奏端末３１（カラオケ演奏装置３１若しくは遠隔入出力端末３６）に備えることとしてもよい。例えば、利用者ＤＢ２３よりログインした利用者ＩＤに対応するパーソナル曲目ファイル（歌唱履歴曲目、タイムデータ楽曲テーブル）を取得し、歌唱履歴曲目情報に当該日の歌唱履歴を反映させてタイムデータ楽曲テーブルを作成若しくは更新して利用者ＤＢ２３に更新登録させるものである。
【００４９】
図９（Ｂ）、（Ｃ）において、一例として、利用者Ａ（利用者ＩＤ：＊＊＊＊＊＊＊Ａ）と利用者Ｂ（利用者ＩＤ：＊＊＊＊＊＊＊Ｂ）について、各パーソナル曲目ファイルの歌唱履歴曲目のうち、歌唱度数が所定基準値（ここでは１００とする）以上の歌唱時刻帯が割り当てられた楽曲ＩＤが抽出され、これら楽曲ＩＤをタイムデータ楽曲テーブルの歌唱時刻帯別に、例えばフラグで登録する。具体的には、歌唱度数が１００を超えた時点で処理される。
【００５０】
例えば、図９（Ｂ）に示すように、利用者Ａでは、歌唱履歴曲目のうちの歌唱度数が１００以上の楽曲ＩＤ（ａ＊＊＊−＊＊，ｂ＊＊＊−＊＊，ｃ＊＊＊−＊＊）が抽出され、これら抽出された楽曲ＩＤに関連付けられている時刻帯で、タイムデータ楽曲テーブルの時刻帯にフラグが立てられる。図９（Ｃ）に示すように、利用者Ｂでは、歌唱履歴曲目のうちの歌唱度数が１００以上の楽曲ＩＤ（ｍ＊＊＊−＊＊，ｎ＊＊＊−＊＊）が抽出され、これら抽出された楽曲ＩＤに関連付けられている時刻帯、タイムデータ楽曲テーブルの時刻帯にフラグが立てられるものである。
【００５１】
このように、時刻帯に基づいて設定した所定数のタイムデータ楽曲を登録させておくことで、１日のうちの時刻帯（時刻区分）に関連した利用者の望む楽曲を表示可能とし、選曲の効率化、選曲時の利便性の向上を図ることができるものである。
【産業上の利用可能性】
【００５２】
本発明の時刻対応選曲楽曲表示機能を備えるカラオケシステムは、カラオケの基本的機能を備えるカラオケ装置の分野に利用可能である。
【図面の簡単な説明】
【００５３】
【図１】本発明に係るカラオケシステムの系統構成図である。
【図２】図１の利用者ＤＢの登録楽曲の説明図である。
【図３】本発明のカラオケシステムにおけるカラオケ演奏端末のブロック構成図である。
【図４】図３におけるカラオケ演奏端末の遠隔入出力端末のブロック構成図である。
【図５】図４における遠隔入出力端末における利用者によるタイムデータ楽曲登録の説明図である。
【図６】図４における遠隔入出力端末におけるタイムデータ楽曲テーブルの表示の説明図である。
【図７】図４におけるタイムデータ楽曲の表示処理のフローチャートである。
【図８】図４におけるタイムデータ楽曲の表示の説明図である。
【図９】図１におけるホスト装置におけるタイムデータ楽曲の自動登録の説明図である。
【符号の説明】
【００５４】
１１            ホスト装置
１３            カラオケ演奏端末
２３            利用者ＤＢ
２４            タイムデータ楽曲自動登録手段
３１            カラオケ演奏装置
３６            遠隔入出力端末
４２Ａ，６２Ａ  時計機構
４９            演奏ログ処理手段
５１            予約待ち行列
６６            端末表示部
６８            利用者ＩＤ取得部
６９            タイムデータ楽曲登録手段
７０            利用者情報取得手段
７１            タイムデータ楽曲取得手段
７２            選曲表示処理手段
７４            利用者別情報記憶部
７５            タイムデータ楽曲テーブル
【図１】
2009210662.tif 000003
【図２】
2009210662.tif 000004
【図３】
2009210662.tif 000005
【図４】
2009210662.tif 000006
【図５】
2009210662.tif 000007
【図６】
2009210662.tif 000008
【図７】
2009210662.tif 000009
【図８】
2009210662.tif 000010
【図９】
2009210662.tif 000011